(57)【要約】【課題】  防水性を備え、かつ良好な光量を備えた防水スイッチの照明構造を提供する。【解決手段】  ノブ３と、ノブ３とシャフト４１を介して連結されるスイッチユニット４と、スイッチユニット４を内蔵するとともに、シャフト４１が挿通する貫通部５２を有するケース５と、貫通部５２に設けられ、前記シャフト４１に接触する弾性を有するパッキン６と、ケース５内に、前記貫通部５２と対向するように設けられる光源８と、を備えた防水スイッチにおいて、前記パッキン６は、透光性材料からなる。【選択図】図３
2018195411.tif 000002
【特許請求の範囲】
【請求項１】
ノブと、
前記ノブとシャフトを介して連結されるスイッチユニットと、
前記スイッチユニットを内蔵するとともに、前記シャフトが挿通する貫通部を有するケースと、
前記貫通部に設けられ、前記シャフトに接触する弾性を有するパッキンと、
前記ケース内に、前記貫通部と対向するように設けられる光源と、
を備えた防水スイッチにおいて、
前記パッキンは、透光性材料からなることを特徴とする防水スイッチの照明構造。
【請求項２】
前記パッキンは、内側の側面から突出形成した舌部を有することを特徴とする請求項１に記載の防水スイッチの照明構造。
【請求項３】
前記ケースは、前記貫通部の周辺に透過部を有することを特徴とする請求項１乃至２のいずれかに記載の防水スイッチの照明構造。
【請求項４】
前記パッキンは、外側の側面から突出形成した延出部を有することを特徴とする請求項３に記載の防水スイッチの照明構造。
【請求項５】
前記ケースは、前記光源からの光を前記透過部に向けて反射させる反射部を有することを特徴とする請求項３乃至４のいずれかに記載の防水スイッチの照明構造。
【発明の詳細な説明】
【技術分野】
【０００１】
本発明は、防水スイッチ、特に、プッシュスイッチ機能と回転機能を備えた防水スイッチの照明構造に関する。
【背景技術】
【０００２】
従来の防水スイッチは、例えば、下記特許文献１に記載されているものが知られている。この特許文献１に記載の防水スイッチ１０は、図４にその断面図を示すように、透光性の上面部５１０と遮光色の側壁部５６０から構成されるケース５０と、このケース５０に収納される回路基板７０と、回路基板７０の上に配置され、ケース５０の前面でスイッチユニット４０と連結するノブ３０と、ケース５０の孔５２０とノブ３０との間に配置され、防水性と弾力性を有するパッキン６０とを有し、パッキン６０は、例えばゴム等によって形成されケース５０内を気密封止し、ケース５０内の回路基板７０を防水するものであった。
【０００３】
このような防水スイッチ１０において、夜間のノブ３０の位置の視認性を確保するために、ノブ３０の周辺を照明する場合がある。従来の照明構造は、図４に示すように、スイッチユニット４０の周りに配置される光源８０と、ケース５０の前面に配置される遮光性のパネル９０とを有し、ケース５０は孔５２０の周りに前面から視認されないように形成された透過部５４０とを有する。このように形成されて、光源８０から発せられた光が、透過部５４０を通りノブ３０とケース５０の間隙から漏れ出ることにより、パネル９０を照明するものである。
【先行技術文献】
【特許文献】
【０００４】
【特許文献１】特開２０１５−８８２３０号公報
【発明の概要】
【発明が解決しようとする課題】
【０００５】
しかしながら、このような防水スイッチ１０の照明構造では、ノブ３０の外形（直径）の内側に、スイッチユニット４０と、パッキン６０と、パネル９０の一部を設ける必要があったため、透過部５４０の範囲が制限され、透過部５４０から光が通り難くなり照明の光量が不足するといった問題点があった。
【０００６】
そこで、本発明は、上記問題点に鑑みてなされたものであり、防水性を備え、かつ良好な光量を備えた防水スイッチの照明構造を提供することを目的とする。
【課題を解決するための手段】
【０００７】
本発明の防水スイッチは、ノブ３と、前記ノブ３とシャフト４１を介して連結されるスイッチユニット４と、前記スイッチユニット４を内蔵するとともに、前記シャフト４１が挿通する貫通部５２を有するケース５と、前記貫通部５２に設けられ、前記シャフト４１に接触する弾性を有するパッキン６と、前記ケース５内に、前記貫通部５２と対向するように設けられる光源８と、を備えた防水スイッチにおいて、前記パッキン６は、透光性材料からなることを特徴とする。
【０００８】
また、前記パッキン６は、内側の側面から突出形成した舌部６２を備えることを特徴とする。
【０００９】
また、前記ケース５は、前記貫通部５２の周辺に透過部５４を有することを特徴とする。
【００１０】
また、前記パッキン６は、外側の側面から突出形成した延出部６４を有することを特徴とする。
【００１１】
また、前記ケース５は、前記光源８からの光を前記透過部５４に向けて反射させる反射部５５を有する。
【発明の効果】
【００１２】
本発明に係る防水スイッチによれば、防水性を備え、かつ良好な光量を備えた防水スイッチの照明構造を提供することができる。
【図面の簡単な説明】
【００１３】
【図１】本発明の第１実施形態に係る防水スイッチ１を備えた操作装置２の正面図。
【図２】図１のノブ３を省いた図。
【図３】図１中Ａ−Ａ線に沿った断面図。
【図４】従来技術を示す断面図。
【発明を実施するための形態】
【００１４】
以下、図１から図３に基づいて本発明の実施形態を車両に搭載された防水スイッチ１に適用した場合を例に挙げて説明する。また、防水スイッチ１の上下を、各図中に矢印にて示す。
【００１５】
防水スイッチ１は、操作装置２などの機器に取り付けられている。また、防水スイッチ１は、ノブ３と、スイッチユニット４と、ケース５と、パッキン６と、回路基板７と、光源８と、パネル９と、を少なくとも備えている。
【００１６】
ノブ３は、合成樹脂からなり、円形の円板部３１と、円板部３１の中央部分に設けた突出部３２と、円板部３１の周縁部分に設けた円筒部３３とを備えている。
【００１７】
突出部３２は、その断面形状が円形の外周を有している。本実施形態では、突出部３２は、その内部に断面形状が、Ｄの字の形状のように一部がカットされた形状の穴部３４を備えている。この穴部３４にスイッチユニット４のシャフト４１が挿入されて連結されており、ノブ３の回転操作やプッシュ操作が、スイッチユニット４に伝えられる。尚、ノブ３をケース５から抜き取る方向に引いた場合に、ノブ３の抜けを防止するために、金属製の抜け止め部材（図示せず）を適宜、穴部３４に設けてもよい。
【００１８】
スイッチユニット４は、前述したように、回転操作やプッシュ操作可能なエンコーダ（操作部の変位によってコード信号を発生する電子部品）からなり、回路基板７に実装されている。
【００１９】
ケース５は、下面が開口した箱状に形成され、透明な合成樹脂からなり上面を構成する上面部５１と、黒系色の合成樹脂からなり側面を構成する側壁部５６と、を有する。上面部５１と側壁部５６とは、２色成形により一体に形成されている。また、ケース５は、スイッチユニット４や回路基板７を内蔵するものである。上面部５１は、スイッチユニット４のシャフト４１の貫通する貫通孔５２（貫通部）を備えている。この貫通孔５２の内部には、パッキン６を保持する固定用突起５３が設けられている。
【００２０】
パネル９は、透明ＰＣ（ポリカーボネート）樹脂等の透光性樹脂からなる薄板平面状の基材９１からなり、後面にスクリーン印刷された黒色等の遮光性インキ層９２が形成され、最下面に両面テープが接着され、ケース５の上面に貼り付けられる。また、パネル９は貫通孔５２よりも大きいパネル孔９３を有する。パネル孔９３は、例えば、ノブ３とパネル９との間隙を斜めから覗き見た時に、パネル孔９３が視認できない程度にノブ３の外形の内側に設けられている。
【００２１】
回路基板７は、例えばＦＲ−４（Ｆｌａｍｅ  Ｒｅｔａｒｄａｎｔ−４）等のガラスエポキシ系基材に配線パターンを施した硬質配線基板からなり、光源８を駆動・制御する、以下図示しない制御手段，抵抗，コンデンサ等の各種回路部品が前記配線パターンに導通接続されている。
【００２２】
光源８は、回路基板７の面方向に適宜光を発するチップ型発光ダイオード（ＬＥＤ：Ｌｉｇｈｔ  Ｅｍｉｔｔｉｎｇ  Ｄｉｏｄｅ）からなり、ノブ３の周辺を照明する光を発光する。また、光源８は、スイッチユニット４の周辺の回路基板７の上に任意の数だけ配置される。
【００２３】
また、上面部５１は、貫通孔５２周りにパネル９が貼り合されない透過部５４を有する。透過部５４は、貫通孔５２とパネル孔９３との面方向の幅により形成される。また、透過部５４は、パネル９の厚さに等しい量だけ上方向に突出している。このように形成されることにより、パネル９をケース５に貼り付ける時の位置決めを容易にすることができる。
【００２４】
また、上面部５１は、光源８に対応する箇所に反射面（反射部）５５を有する。反射面５５は、光源８から発せられた照明光を透過部５４に向けて反射するように形成される。このように形成されることにより、透過部５４を通る光量を増加し、ノブ３の周辺の照明品質を向上することができる。
【００２５】
パッキン６は、スイッチユニット４のシャフト４１とケース５との間に、貫通孔５２を埋めるように設けられており、透明又は半透明の透光性のシリコンゴムなどの弾性を有する弾性体で形成されている。また、パッキン６は、環状のベース部６１と、ベース部６１の内側の側面から突出形成した舌部６２とを備えている。また、ベース部６１の外側の側面には、前述した固定用突起５３が嵌り込む溝部６３が設けられており、この溝部６３を固定用突起５３に嵌め込むことによって、ベース部６１が、上面部５１の貫通孔５２の内側に固定される。
【００２６】
このように形成されることにより、パッキン６が光を透過可能であるので、パッキン６が黒系の遮光性材料である場合に比べ、ノブ３側へ通過する光量を増加し、ノブ３の周辺の照明品質を向上することができる。
【００２７】
舌部６２は、ベース部６１の内側の側面に切れ目なく設けられている。そして、舌部６２は、シャフト４１に接するものであり、本実施形態では、シャフト４１の外周に接している。また、舌部６２は上側を向いている。また、舌部６２の先端部の断面形状は円形であり、ノブ３の接触面積を最小とし、ノブ３の操作性を阻害しないものである。
【００２８】
このように形成されることにより、回転操作する際に必要な力を小さくし、かつ良好な防水性を備えた防水スイッチ１の構造を提供することができる。また、舌部６２が上側を向いて、シャフト４１に接することによって、シャフト４１とケース５との間から液体が浸入することを抑制することができる。
【００２９】
また、パッキン６は、溝部６３の下側の一部がベース部６１から延出形成された延出部６４を有する。延出部６４は、透過部５４の下側まで延びることで、光源８から発せられた光が透過部５４を通ることを抑制できる。このように形成されることで、透過部５４を通る光の量が多い光源８に近い部分の光の量を調整し、照明ムラを防止し、ノブ３の周辺の照明品質を向上することができる。
【００３０】
以上のように防水性を備え、かつ、夜間のノブ３の位置の視認性を確保するために必要な光量を十分に備えた防水スイッチ１の照明構造を提供することができる。
【００３１】
尚、本発明の防水スイッチ１の照明構造を上記した実施形態の構成にて例に挙げて説明したが、本発明はこれに限定されるものではなく、他の構成においても、本発明の要旨を逸脱しない範囲において種々の改良、並びに設計の変更が可能なことは勿論である。
【００３２】
例えば、舌部６２は上側を向いていたが、図４に示すように、下側を向いてノブ３に接することによって、例えば、ケース５の内部に対して、外部の気圧が低い、負圧の状態の場合に、ノブ３とケース５との気密を保持することができる。
【００３３】
また、シャフト４１は、スイッチユニット４でなく、ノブ３側と一体に設けられるものであってもよいし、ノブ３の操作をスイッチユニット４に伝達する構造であればよく、スイッチユニット４やノブ３に対して、別体に設けることもできる。また、シャフト４１を透光性にすることで、より効率的に、光源８からの照射光をノブ３に伝えることが期待できる。
【産業上の利用可能性】
【００３４】
本発明は、車両用の防水スイッチの照明構造に関し、例えば、自動車やオートバイ、あるいは農業機械や建設機械を備えた移動体に搭載される防水スイッチの照明構造に適用することができる。
【符号の説明】
【００３５】
３    ノブ
４    スイッチユニット
４１    シャフト
５    ケース
５２    貫通孔（貫通部）
５４    透過部
５５    反射面（反射部）
６    パッキン
６１    ベース部
６２    舌部
６４    延出部
８    光源
【図１】
2018195411.tif 000003
【図２】
2018195411.tif 000004
【図３】
2018195411.tif 000005
【図４】
2018195411.tif 000006